(57)【要約】【課題】ボウル部の荷重に対する強度が向上するとともに、形状が簡単で、組み立て性も良好となるように工夫した便器を提供する。【解決手段】スカート部１と、スカート部１の内部に配置されるボウル部２と、スカート部１の上部に接合されるリム部３とに３分割された便器であって、リム部３は上辺部３ａと内辺部３ｂと下辺部３ｃとで構成され、ボウル部２には外向きのフランジ部２ｄが形成されて、リム部３の上辺部３ａの下面は、スカート部１の上端部１ａに当接され、リム部３の下辺部３ｃの下面は、ボウル部２のフランジ部２ｄの上面に当接させて接合されている。これにより、リム部３の下辺部３ｃとボウル部２のフランジ部２ｄの接合面積が増加して、荷重に対するボウル部２の強度が向上する。【選択図】図１
2008121384.tif 000002
【特許請求の範囲】
【請求項１】
スカート部と、スカート部の内部に配置されるボウル部と、スカート部の上部に接合されるリム部とに３分割された便器であって、
前記リム部は上辺部と内辺部と下辺部とで構成され、前記ボウル部には外向きのフランジ部が形成されて、リム部の上辺部の下面は、スカート部の上端部に当接され、リム部の下辺部の下面は、ボウル部のフランジ部の上面に当接させて接合されていることを特徴とする便器。
【請求項２】
前記リム部の下辺部の外端部とボウル部のフランジ部の外端部とは、スカート部の内面に当接させていることを特徴とする請求項１に記載の便器。
【請求項３】
前記ボウル部のフランジ部の内面とリム部の下辺部の内面とは、ほぼ面一で連続するように形成されていることを特徴とする請求項１または２に記載の便器。
【請求項４】
前記スカート部の内面に、ボウル部のフランジ部の外端部を支持する段部若しくは凹部が形成されていることを特徴とする請求項１〜３のいずれか一項に記載の便器。
【請求項５】
前記リム部の内辺部と下辺部との外向きコーナー部分にリブが形成されるとともに、ボウル部とフランジ部との外向きコーナー部分にリブが形成されていることを特徴とする請求項１〜４のいずれか一項に記載の便器。
【発明の詳細な説明】
【技術分野】
【０００１】
本発明は、ボウル部の荷重に対する強度が向上する便器に関する。
【背景技術】
【０００２】
従来、図３（ａ）（ｂ）に示すように、スカート部１と、スカート部１の内部に配置されるボウル部２と、スカート部１の上部に接合されるリム部３とに３分割された合成樹脂製の便器がある（特許文献１参照）。
【０００３】
前記のような便器において、図３（ｃ）に示すように、リム部３を上辺部３ａと内辺部３ｂと下辺部３ｃとで構成して、リム部３の上辺部３ａの下面は、スカート部１の上端部１ａに当接させ、リム部３の下辺部３ｃの外端部３ｄは、スカート部１の内面に形成した段部１ｂで支持し、ボウル部２の上端部２ａをリム部３の下辺部３ｃの下面に当接させて接合することが考えられる。
【０００４】
また、図４に示すように、ボウル部２の上端部２ａ付近の外面部２ｂとスカート部１の内面とに、鋸歯状部２ｃ，１ｃをそれぞれ形成して、相互に噛み合わせることが考えられる。
【特許文献１】特許第３４３６００４号公報
【発明の開示】
【発明が解決しようとする課題】
【０００５】
しかしながら、図３（ａ）の背景技術では、ボウル部２の上端部２ａをリム部３の下辺部３ｃの下面に当接させて接合するだけであるから、ボウル部２に荷重が加わったときの強度が充分でないという問題がある。
【０００６】
これに対して、図４の背景技術では、ボウル部２の外面部２ｂの鋸歯状部２ｃとスカート部１の内面の鋸歯状部１ｃとを相互に噛み合わせているから、ボウル部２に荷重が加わったときの強度は充分であるものの、成型品として複雑な形状が要求されるとともに、組み立てに困難が伴うという問題がある。
【０００７】
本発明は、前記問題を解消するためになされたもので、ボウル部の荷重に対する強度が向上するとともに、形状が簡単で、組み立て性も良好となるように工夫した便器を提供することを目的とするものである。
【課題を解決するための手段】
【０００８】
前記課題を解決するために、本発明は、スカート部と、スカート部の内部に配置されるボウル部と、スカート部の上部に接合されるリム部とに３分割された便器であって、前記リム部は上辺部と内辺部と下辺部とで構成され、前記ボウル部には外向きのフランジ部が形成されて、リム部の上辺部の下面は、スカート部の上端部に当接され、リム部の下辺部の下面は、ボウル部のフランジ部の上面に当接させて接合されていることを特徴とする便器を提供するものである。
【０００９】
請求項２のように、前記リム部の下辺部の外端部とボウル部のフランジ部の外端部とは、スカート部の内面に当接させていることが好ましい。
【００１０】
請求項３のように、前記ボウル部のフランジ部の内面とリム部の下辺部の内面とは、ほぼ面一で連続するように形成されていることが好ましい。
【００１１】
請求項４のように、前記スカート部の内面に、ボウル部のフランジ部の外端部を支持する段部若しくは凹部が形成されていることが好ましい。
【００１２】
請求項５のように、前記リム部の内辺部と下辺部との外向きコーナー部分にリブが形成されるとともに、ボウル部とフランジ部との外向きコーナー部分にリブが形成されていることが好ましい。
【発明の効果】
【００１３】
本発明によれば、リム部の下辺部の下面にボウル部のフランジ部の上面を当接させて接合しているから、接合面積が増加して、荷重に対するボウル部の強度が向上するようになる。
【００１４】
また、基本的には、リム部の下辺部の下面にボウル部のフランジ部の上面を当接させて接合するだけであるから、形状が簡単で、組み立て性も良好となる。
【００１５】
請求項２によれば、リム部とボウル部の各外端部は、スカート部の内面に当接させているから、リム部に作用する荷重をボウル部とスカート部に分散できるので、荷重に対するリム部の強度が向上するようになる。
【００１６】
請求項３によれば、ボウル部のフランジ部の内面とリム部の下辺部の内面とは、ほぼ面一で連続するように形成しているから、段差の無い滑らかな内面となるので、掃除等がし易くなる。
【００１７】
請求項４によれば、スカート部の段部若しくは凹部でボウル部のフランジ部の外端部を支持するようにしたから、スカート部とリム部とボウル部との位置ズレが無くなって組み付け性が向上するようになる。
【００１８】
請求項５によれば、リム部とボウル部の外向きコーナー部分にリブをそれぞれ形成したから、外部からリブの成形によるヒケが見えにくいので、外観性が向上するとともに、成形時のリム部の下辺部とボウル部のフランジ部の反りがそれぞれ減少して、リム部の下辺部とボウル部のフランジ部とを全周に亘って均一に接合することが可能になる。
【発明を実施するための最良の形態】
【００１９】
以下、本発明を実施するための最良の形態について、図面を参照しながら詳細に説明する。なお、背景技術と同一構成・作用の箇所は、同一番号を付して詳細な説明を省略する。
【００２０】
図１（ａ）は、便器の側面断面図であり、スカート部１の内部にボウル部２が配置されるとともに、スカート部１の上部にリム部３が接合されている。
【００２１】
図１（ｂ）に拡大して示すように、第１実施形態のリム部３は、上辺部３ａと内辺部３ｂと下辺部３ｃとで横向き略Ｕ字形状に一体成形して、スカート部１の上端部１ａをリム部３の上辺部３ａの下面に当接させて接合している。なお、後述するように、リム部３に洗浄水の通路が不要であれば、必ずしも中空である必要な無く、中実に成形することも可能である。
【００２２】
ボウル部２には、外向きのフランジ部２ｄを一体成形して、リム部３の下辺部３ｃの下面は、ボウル部２のフランジ部２ｄの上面に当接させて接合している。
【００２３】
さらに、ボウル部２のフランジ部２ｄの内面２ｆとリム部３の下辺部３ｃの内面３ｆとは、ほぼ面一で連続するように形成されている。
【００２４】
第１実施形態のように、リム部３の下辺部３ｃの下面にボウル部２のフランジ部２ｄの上面を当接させて接合すれば、リム部３の下辺部３ｃとボウル部２のフランジ部２ｄとの接合面積が大幅に増加して、荷重に対するボウル部２の強度が向上するようになる。
【００２５】
また、基本的には、リム部３の下辺部３ｃの下面にボウル部２のフランジ部２ｄの上面を当接させて接合するだけであるから、形状が簡単で、組み立て性も良好となる。
【００２６】
さらに、ボウル部２のフランジ部２ｄの内面２ｆとリム部３の下辺部３ｃの内面３ｆとは、ほぼ面一で連続するように形成しているから、段差の無い滑らかな内面２ｆ，３ｆとなるので、掃除等がし易くなる。
【００２７】
図１（ｃ）は、第１実施形態の変形例であり、リム部３の下辺部３ｃの外端部３ｄとボウル部２のフランジ部２ｄの外端部２ｅとは、スカート部１の内面に当接させている。
【００２８】
リム部３とボウル部２の各外端部３ｄ，２ｅは、スカート部１の内面に当接させて接合しても良い。このように接合すれば、スカート部１で閉塞されたリム部３内の水密性が高まって、洗浄水の通路とすることができる。
【００２９】
この変形例のように、リム部３とボウル部２の各外端部３ｄ，２ｅをスカート部の内面に当接させれば、リム部３に作用する荷重をボウル部２とスカート部１に分散できるので、荷重に対するリム部３の強度が向上するようになる。
【００３０】
なお、図１（ｂ）の第１実施形態のように、リム部３とボウル部２の各外端部３ｄ，２ｅをスカート部１の内面に当接させないで、僅かの隙間（例えば１ｍｍ以下）を開ければ、成形誤差や荷重に対するゆがみを吸収することができる。
【００３１】
なお、図１（以下の図２でも同様）では、ボウル部２のフランジ部２ｄの内面２ｆとリム部３の下辺部３ｃの内面３ｆとがほぼ面一で連続するように形成したが、フランジ部２ｄの内面２ｆがスカート部１側に後退して、段差が形成されていても構わない。
【００３２】
図２（ａ）は第２実施形態であり、図１（ｂ）の第１実施形態と相違するのは、スカート部１の内面に、ボウル部２のフランジ部２ｄの外端部２ｅを支持する段部１ｄを形成した点である。なお、リム部３の下辺部３ｃの外端部３ｄもボウル部２のフランジ部２ｄの外端部２ｅを介して段部１ｄで支持されるようになる。
【００３３】
図２（ｂ）は第２実施形態の変形例であり、図１（ｃ）の第１実施形態の変形例と同様に、リム部３の下辺部３ｃの外端部３ｄとボウル部２のフランジ部２ｄの外端部２ｅとをスカート部１の内面に当接させ、または当接させて接合したものである。
【００３４】
図２（ｃ）は第３実施形態であり、図１（ｂ）の第１実施形態と相違するのは、スカート部１の内面に、ボウル部２のフランジ部２ｄの外端部２ｅを支持する凹部１ｅを形成した点である。なお、リム部３の下辺部３ｃの外端部３ｄもボウル部２のフランジ部２ｄの外端部２ｅを介して凹部１ｅで支持されるようになる。
【００３５】
図２（ｄ）は第３実施形態の変形例であり、図１（ｃ）の第１実施形態の変形例と同様に、リム部３の下辺部３ｃの外端部３ｄとボウル部２のフランジ部２ｄの外端部２ｅとをスカート部１の内面に当接させ、または当接させて接合したものである。
【００３６】
第２実施形態や第３実施形態のように、スカート部１の段部１ｄ若しくは凹部１ｅでボウル部２のフランジ部２ｄの外端部２ｅを支持すれば、スカート部１とリム部３とボウル部２との位置ズレが無くなって組み付け性が向上するようになる。
【００３７】
図２（ｅ）は第４実施形態であり、図２（ａ）の第２実施形態と相違するのは、リム部３の内辺部３ｂと下辺部３ｃとの外向きコーナー部分に三角形状のリブ３ｇが一体形成するとともに、ボウル部２とフランジ部２ｄとの外向きコーナー部分に三角形状のリブ２ｇが一体形成した点である。なお、リム部３の下辺部３ｃの外端部３ｄもボウル部２のフランジ部２ｄの外端部２ｅを介して凹部１ｅで支持されるようになる。
【００３８】
図２（ｆ）は第４実施形態の変形例であり、図２（ｂ）の第２実施形態の変形例と同様に、リム部３の下辺部３ｃの外端部３ｄとボウル部２のフランジ部２ｄの外端部２ｅとをスカート部１の内面に当接させ、または当接させて接合したものである。
【００３９】
第４実施形態のように、リム部３とボウル部２の外向きコーナー部分にリブ３ｇ，２ｇをそれぞれ形成すれば、外部からリブ３ｇ，２ｇの成形によるヒケが見えにくいので、外観性が向上するとともに、成形時のリム部３の下辺部３ｃとボウル部２のフランジ部２ｄの反りがそれぞれ減少して、リム部３の下辺部３ｃとボウル部２のフランジ部２ｄとを全周に亘って均一に接合することが可能になる。
【００４０】
各実施形態において、便器は、スカート部１とボウル部２とリム部３とに少なくとも３分割された合成樹脂製の成形品であり、これらを溶着により接合して一体化した構造である。成形方法としては、射出成形、圧縮成形、真空成形等がある。成形材料としては、比較的強度があるアクリル系樹脂、補強材入りＡＢＳやＰＢＴ等を使用することができる。
【図面の簡単な説明】
【００４１】
【図１】本発明の実施形態に係る便器であり、（ａ）は断面図、（ｂ）は、第１実施形態のリム部の下辺部とボウル部のフランジ部との拡大断面図、（ｃ）は、（ｂ）の変形例の拡大断面図である。
【図２】（ａ）は、第２実施形態のリム部の下辺部とボウル部のフランジ部との拡大断面図、（ｂ）は、（ａ）の変形例の拡大断面図、（ｃ）は、第３実施形態のリム部の下辺部とボウル部のフランジ部との拡大断面図、（ｄ）は、（ｃ）の変形例の拡大断面図、（ｅ）は、第４実施形態のリム部の下辺部とボウル部のフランジ部との拡大断面図、（ｆ）は、（ｅ）の変形例の拡大断面図である。
【図３】背景技術の便器であり、（ａ）は分解斜視図、（ｂ）は斜視図、（ｃ）は要部断面図である。
【図４】背景技術の別例であり、図３（ｃ）に相当する要部断面図である。
【符号の説明】
【００４２】
１    スカート部
１ｄ  段部
１ｅ  凹部
２    ボウル部
２ｄ  フランジ部
２ｅ  外端部
２ｆ  内面
２ｇ  リブ
３    リム部
３ａ  上辺部
３ｂ  内辺部
３ｃ  下辺部
３ｄ  外端部
３ｆ  内面
３ｇ  リブ
【図１】
2008121384.tif 000003
【図２】
2008121384.tif 000004
【図３】
2008121384.tif 000005
【図４】
2008121384.tif 000006